(57)【特許請求の範囲】
【請求項１】
伝送網の構成要素となる複数の伝送装置と、
通信網の構成要素となる複数の通信装置と、
前記伝送網を介して接続される通信装置の間でセッションを確立してデータを送信する場合、前記伝送網内において始点となる伝送装置から終点となる伝送装置までの通信経路を示す第１論理パスを構築する管理計算機と、を備える伝送システムにおいて、
前記始点となる伝送装置と前記終点となる伝送装置との間には、複数のセッションに対応した複数の第１論理パスが構築可能であって、
前記管理計算機は、前記通信装置に接続される任意の二つの前記伝送装置の間の最短経路を使用するデフォルトパスを予め構築し、当該デフォルトパスの識別情報と当該デフォルトパスを通過する情報の宛先とを対応付けて格納し、
動的に構築される第１論理パスに関する条件が前記管理計算機に予め設定され、
一方の通信装置は、前記伝送網を介して接続される他方の通信装置に前記セッションを確立してデータ送信を開始する場合、データの宛先、前記セッションの保証帯域、及び前記確立するセッションの優先度を示すクラスを含む制御情報を自身に接続された前記伝送装置に送信し、
前記伝送装置は、前記制御情報を受信した場合、前記受信した制御情報を前記管理計算機に送信し、
前記管理計算機は、
前記制御情報を受信した場合、前記制御情報に含まれる宛先に対応する前記デフォルトパスを特定し、
前記特定したデフォルトパスの余剰帯域が前記制御情報に含まれる保証帯域以上である場合、前記特定したデフォルトパスを、前記一方の通信装置から前記他方の通信装置までの前記通信網内における通信経路となるように設定された第２論理パスと対応付けるように、前記特定したデフォルトパスを構成する伝送装置を設定し、
前記確立するセッションが所定の優先度よりも小さいクラスを含む制御情報を受信し、前記特定したデフォルトパスの余剰帯域が前記制御情報に含まれる保証帯域よりも小さい場合であって、かつ、すでに動的に構築された第１論理パスに関する情報が前記条件に一致する場合、前記特定したデフォルトパスと異なる経路を使用する論理パスを前記第１論理パスとして動的に構築し、前記受信した制御情報によって確立されるセッションを前記動的に構築した第１論理パスに割り当て、
前記動的に構築した第１論理パスを前記第２論理パスと対応付けるように、前記動的に構築した第１論理パスを構成する伝送装置を設定し、
前記確立するセッションが所定の優先度以上であるクラスを含む制御情報を受信し、かつ前記特定したデフォルトパスの余剰帯域が前記制御情報に含まれる保証帯域よりも小さい場合、所定時間処理を待機し、
前記所定時間内に新たに制御情報を受信した場合、前記処理を待機する契機となった制御情報に対応する特定したデフォルトパス、及び当該デフォルトパスが使用する経路に含まれる隣接する二つの伝送装置間のリンクを含む論理パスを、前記新たに受信した制御情報に対する第１論理パスの候補から除外し、
前記所定時間内に、前記特定したデフォルトパスの余剰帯域が前記制御情報に含まれる保証帯域以上となった場合、前記特定したデフォルトパスを前記第２論理パスと対応付けるように、前記特定したデフォルトパスを構成する伝送装置を設定することによって、前記セッションを確立し、
前記所定時間内に、前記特定したデフォルトパスの余剰帯域が前記制御情報に含まれる保証帯域以上とならなかった場合、前記待機を解除し、前記制御情報を送信した伝送装置にエラーを示すエラー情報を送信し、
前記伝送装置は、前記エラー情報を受信した場合、前記制御情報を送信した通信装置に前記エラー情報を送信することを特徴とする伝送システム。
【請求項２】
前記管理計算機は、
前記セッションの優先度を示すクラスごとの前記伝送網による遅延の許容量を格納し、
前記伝送網を構成する任意の隣接する二つの伝送装置間のリンクの余剰帯域と、当該リンクによる遅延量とが登録されたリンク管理情報を格納し、
前記第１論理パスを動的に構築する場合、前記リンク管理情報を参照し、前記制御情報に含まれる保証帯域以上のリンクから構成される経路を選択し、
前記選択した経路を構成するリンクの合計遅延量を、前記リンク管理情報に基づいて算出し、
前記算出した合計遅延量が前記制御情報に含まれるクラスの遅延の許容量以下となる経路を特定し、
前記特定した経路が複数ある場合には、前記経路を構成するリンクの余剰帯域の平均値が最大値となる経路を使用する論理パスを前記第１論理パスとして動的に構築することを特徴とする請求項１に記載の伝送システム。
【請求項３】
前記動的に構築される第１論理パスに関する条件は、前記管理計算機が所定時間内に前記第１論理パスを動的に構築する回数が所定値以下であることを特徴とする請求項１又は請求項２に記載の伝送システム。
【請求項４】
前記動的に構築される第１論理パスに関する条件は、前記管理計算機が前記動的に構築した少なくとも一つの第１論理パスに割り当てられたセッションの保証帯域の合計が所定値以下であることを特徴とする請求項１から請求項３のいずれか一つに記載の伝送システム。
【請求項５】
前記通信網に使用される通信プロトコルは、ＩＰ／ＭＰＬＳであること特徴とする請求項１から請求項４のいずれか一つに記載の伝送システム。
【請求項６】
前記伝送網に使用される通信プロトコルは、ＭＰＬＳ−ＴＰであることを特徴とする請求項１から請求項５のいずれか一つに記載の伝送システム。
【請求項７】
前記第２論理パスを設定するプロトコルは、ＲＳＶＰ−ＴＥ、又はＣＲ−ＬＤＰであることを特徴とする請求項１から請求項６のいずれか一つに記載の伝送システム。
【請求項８】
複数の伝送装置によって構成される伝送網を介して接続され、通信網を構成する通信装置の間でセッションを確立してデータを送信する場合、前記伝送網内において始点となる伝送装置から終点となる伝送装置までの通信経路を示す第１論理パスを構築する管理計算機において、
前記始点となる伝送装置と前記終点となる伝送装置との間には、複数のセッションに対応した複数の第１論理パスが構築可能であって、
前記管理計算機には、動的に構築される第１論理パスに関する条件が前記管理計算機に予め設定され、
前記管理計算機は、
前記通信装置に接続される任意の二つの前記伝送装置の間の最短経路を使用するデフォルトパスを予め構築し、当該デフォルトパスの識別情報と当該デフォルトパスを通過する情報の宛先とを対応付けて格納し、
一方の通信装置が前記伝送網を介して接続される他方の通信装置に前記セッションを確立してデータ送信を開始する場合に当該一方の通信装置から送信され、データの宛先、前記セッションの保証帯域、及び前記確立するセッションの優先度を示すクラスを含む制御情報を受信した場合、前記制御情報に含まれる宛先に対応する前記デフォルトパスを特定し、
前記特定したデフォルトパスの余剰帯域が前記制御情報に含まれる保証帯域以上である場合、前記特定したデフォルトパスを、前記一方の通信装置から前記他方の通信装置までの前記通信網内における通信経路となるように設定された第２論理パスと対応付けるように、前記特定したデフォルトパスを構成する伝送装置を設定し、
前記確立するセッションが所定の優先度よりも小さいクラスを含む制御情報を受信し、前記特定したデフォルトパスの余剰帯域が前記制御情報に含まれる保証帯域よりも小さい場合であって、かつ、すでに動的に構築された第１論理パスに関する情報が前記条件に一致する場合、前記特定したデフォルトパスと異なる経路を使用する論理パスを前記第１論理パスとして動的に構築し、前記受信した制御情報によって確立されるセッションを前記動的に構築した第１論理パスに割り当て、
前記動的に構築した第１論理パスを前記第２論理パスと対応付けるように、前記動的に構築した第１論理パスを構成する伝送装置を設定し、
前記確立するセッションが所定の優先度以上であるクラスを含む制御情報を受信し、かつ前記特定したデフォルトパスの余剰帯域が前記制御情報に含まれる保証帯域よりも小さい場合、所定時間処理を待機し、
前記所定時間内に新たに制御情報を受信した場合、前記処理を待機する契機となった制御情報に対応する特定したデフォルトパス、及び当該デフォルトパスが使用する経路に含まれる隣接する二つの伝送装置間のリンクを含む論理パスを、前記新たに受信した制御情報に対する第１論理パスの候補から除外し、
前記所定時間内に、前記特定したデフォルトパスの余剰帯域が前記制御情報に含まれる保証帯域以上となった場合、前記特定したデフォルトパスを前記第２論理パスと対応付けるように、前記特定したデフォルトパスを構成する伝送装置を設定することによって、前記セッションを確立し、
前記所定時間内に、前記特定したデフォルトパスの余剰帯域が前記制御情報に含まれる保証帯域以上とならなかった場合、前記待機を解除し、前記制御情報を送信した伝送装置にエラーを示すエラー情報を送信し、
前記伝送装置は、前記エラー情報を受信した場合、前記制御情報を送信した通信装置に前記エラー情報を送信することを特徴とする管理計算機。
【請求項９】
前記管理計算機は、
前記セッションの優先度を示すクラスごとの前記伝送網による遅延の許容量を格納し、
前記伝送網を構成する任意の隣接する二つの伝送装置間のリンクの余剰帯域と、当該リンクによる遅延量とが登録されたリンク管理情報を格納し、
前記第１論理パスを動的に構築する場合、前記リンク管理情報を参照して、前記制御情報に含まれる保証帯域以上のリンクから構成される経路を選択し、前記選択した経路を構成するリンクの合計遅延量を算出し、
前記算出した合計遅延量が前記制御情報に含まれるクラスの遅延の許容量以下となる経路を特定し、
前記特定した経路が複数ある場合には、前記経路を構成するリンクの余剰帯域の平均値が最大値となる経路を使用する論理パスを前記第１論理パスとして動的に構築することを特徴とする請求項８に記載の管理計算機。
【請求項１０】
複数の伝送装置によって構成される伝送網を介して接続され、通信網を構成する通信装置の間でセッションを確立してデータを送信する場合、前記伝送網内において始点となる伝送装置から終点となる伝送装置までの通信経路を示す第１論理パスを構築する管理計算機における論理パス構築方法において、
前記始点となる伝送装置と前記終点となる伝送装置との間には、複数のセッションに対応した複数の第１論理パスが構築可能であって、
前記管理計算機には、
動的に構築される第１論理パスに関する条件が前記管理計算機に予め設定され、
前記通信装置に接続される任意の二つの前記伝送装置の間の最短経路を使用するデフォルトパスの識別情報と当該デフォルトパスを通過する情報の宛先とが対応付けて格納され、
前記方法は、
一方の通信装置が前記伝送網を介して接続される他方の通信装置に前記セッションを確立してデータ送信を開始する場合に当該一方の通信装置から送信され、データの宛先、前記セッションの保証帯域、及び前記確立するセッションの優先度を示すクラスを含む制御情報を前記管理計算機が受信した場合、前記管理計算機が、前記制御情報に含まれる宛先に対応する前記デフォルトパスを特定する第１ステップと、
前記第１ステップで特定されたデフォルトパスの余剰帯域が前記制御情報に含まれる保証帯域以上である場合、前記管理計算機が、前記特定したデフォルトパスを、前記一方の通信装置から前記他方の通信装置までの前記通信網内における通信経路となるように設定された第２論理パスと対応付けるように、前記第１ステップで特定されたデフォルトパスを構成する伝送装置を設定する第２ステップと、
前記確立するセッションが所定の優先度よりも小さいクラスを含む制御情報を受信し、前記第１ステップで特定されたデフォルトパスの余剰帯域が前記制御情報に含まれる保証帯域よりも小さい場合であって、かつ、すでに動的に構築された第１論理パスに関する情報が前記条件に一致する場合、前記管理計算機が、前記第１ステップで特定されたデフォルトパスと異なる経路を使用する論理パスを前記第１論理パスとして動的に構築し、前記受信した制御情報によって確立されるセッションを前記動的に構築した第１論理パスに割り当てる第３ステップと、
前記管理計算機が、前記第３ステップで構築された第１論理パスを前記第２論理パスと対応付けるように、前記動的に構築した第１論理パスを構成する設定する第４ステップと、
前記確立するセッションが所定の優先度以上である優先度を示すクラスを含む制御情報を受信し、かつ、前記第１ステップで特定されたデフォルトパスの余剰帯域が前記制御情報に含まれる保証帯域よりも小さい場合、前記管理計算機が所定時間処理を待機する第５ステップと、
前記所定時間内に新たに制御情報を前記管理計算機が受信した場合、前記管理計算機が、前記処理を待機する契機となった制御情報に対応するデフォルトパス、及び当該デフォルトパスが使用する経路に含まれる隣接する二つの伝送装置のリンクを含む論理パスを、前記新たに受信した制御情報に対する第１論理パスの候補から除外する第６ステップと、
前記所定時間内に、前記第１ステップで特定されたデフォルトパスの余剰帯域が前記制御情報に含まれる保証帯域以上となった場合、前記管理計算機が、前記第１ステップで特定されたデフォルトパスを前記第２論理パスと対応付けるように、前記第１ステップで特定されたデフォルトパスを構成する伝送装置を設定する第７ステップと、
前記所定時間内に、前記特定したデフォルトパスの余剰帯域が前記制御情報に含まれる保証帯域以上とならなかった場合、前記管理計算機が、前記待機を解除し、エラーを示すエラー情報を前記制御情報を送信した通信装置に送信する指令を、前記制御情報を送信した伝送装置に送信する第８ステップと、を含むことを特徴とする論理パス構築方法。
【請求項１１】
前記管理計算機には、
前記セッションの優先度を示すクラスごとの前記伝送網による遅延の許容量が格納され、
前記伝送網を構成する任意の隣接する二つの伝送装置間のリンクの余剰帯域と、当該リンクによる遅延量とが登録されたリンク管理情報が格納され、
前記第３ステップは、
前記管理計算機が、前記リンク管理情報を参照して、前記制御情報に含まれる保証帯域以上のリンクから構成される経路を選択し、前記選択した経路を構成するリンクの合計遅延量を算出する第９ステップと、
前記管理計算機が、前記第９ステップで算出された合計遅延量が前記制御情報に含まれるクラスの遅延の許容量以下となる経路を特定する第１０ステップと、
前記管理計算機が、前記第１０ステップで前記特定された経路が複数ある場合には、前記経路を構成するリンクの余剰帯域の平均値が最大値となる経路を使用する論理パスを前記第１論理パスとして動的に構築する第１１ステップと、を含むことを特徴とする請求項１０に記載の論理パス構築方法。
【発明の詳細な説明】
【技術分野】
【０００１】
伝送網の構成要素となる複数の伝送装置と、通信網の構成要素となる複数の通信装置と、伝送網を管理する管理計算機とを備える伝送システムに関し、特に、管理計算機が伝送網内の論理パスを構築する伝送システムに関する。
【背景技術】
【０００２】
近年、ユーザの通信品質を保証する帯域保証サービスに対する要求が高まっている。帯域保証サービスとは、帯域が保証された通信をユーザがネットワークに対して要求すると、ネットワーク側でユーザの要求帯域が確保されて、ユーザの要求帯域が保証されたネットワークがユーザに提供されるサービスである。
【０００３】
帯域保証サービスを提供するための基幹ネットワークとして、従来はＩＰ／ＭＰＬＳ（Internet Protocol / Multi-Protocol Label Switching）網が広く普及してきた。ＩＰ／ＭＰＬＳ網では、従来のＩＰルーティングではなく、ラベルスイッチングによってパケットが転送され、またネットワークを構成する各通信装置間における分散制御によって、セッション毎に帯域が保証されたＥｎｄ−Ｅｎｄ間の論理的な通信パス（論理パス）が構築される。
【０００４】
一方、集中制御型の通信プロトコルを使用した伝送網によって帯域保証サービスを提供する通信事業者が増加している。集中制御型の通信プロトコルは、例えば、ＭＰＬＳ−ＴＰ（Multiprotocol Label Switching − Transport Profile)などの通信プロトコルである。
【０００５】
伝送網は、従来のＩＰ／ＭＰＬＳ網と比較して、機密性に優れた論理パスを提供でき、また、通信経路の障害監視を行うＯＡＭ（Operation Administration and Maintenance）機能、及びサービス品質を保証するためのＱｏＳ（Quality of Service）機能が充実しているという特徴がある。これらの伝送網の特徴を利用して、現在のＩＰサービスの高度化を図るために、ユーザ側に従来のＩＰ／ＭＰＬＳ網（通信網）を接続し、コア側に伝送網を接続するＩＰインターワーク技術がＩＥＴＦ(Internet Engineering Task Force)等の標準化で検討が開始されている。なお、ユーザ側に従来のＩＰ／ＭＰＬＳ網を利用するのはコストの低減を図るためである。
【０００６】
上述したＩＰインターワークを実現するためには、伝送網で採用しているネットワーク制御方法である集中制御、又はＩＰ／ＭＰＬＳ網で採用しているネットワーク制御方法である分散制御を選択し、伝送網とＩＰ／ＭＰＬＳ網とを接続する必要がある。
【０００７】
ここで、両ネットワーク制御方法を比較する。集中制御は管理サーバがネットワークを制御する方法である。このため、集中制御では、管理サーバに負荷が集中しやすく、また、ネットワーク設計の柔軟性は分散制御に劣るが、管理サーバがネットワーク全体の状態を把握できるため、障害が発生した通信経路の切り分け及び最適経路の設定などの管理容易性が分散制御より優れる。一方、分散制御は、ＩＰ／ＭＰＬＳ網を構成する各通信装置が自律してネットワークを制御するため、ネットワーク設計の柔軟性及び拡張性については集中制御より優れるが、各通信装置がネットワーク全体の状態を把握できないため、経路設定の最適化、並びに障害の位置及び障害の影響の明確化が困難である。
【０００８】
ＩＰサービスの高度化という観点から、ＩＰインターワークは集中制御によって実現されることが望ましい。
【０００９】
また、伝送網及びＩＰ／ＭＰＬＳ網の論理パスの構築方法について説明する。伝送網の論理パスは、管理者によって論理パスの経路及び保証帯域が静的に設定されることによって構築されることが一般的である。一方、ＩＰ／ＭＰＬＳ網の論理パスは、ＩＰ／ＭＰＬＳ網を構成する各通信装置によって、ネットワークのパラメータ（リンクコスト及びホップ数等）に基づいて経路が動的に設定されることによって構築される。また、ＩＰ／ＭＰＬＳ網で帯域保証サービスが提供される場合、ＲＳＶＰ−ＴＥ(Resource Reservation Protocol - Traffic Engineering）等の動的な帯域予約プロトコルを用いて、各通信装置が論理パスを構築する。
【００１０】
図１５は、ＲＳＶＰ−ＴＥを用いたＩＰ／ＭＰＬＳ網の帯域予測処理の概要の説明図である。
【００１１】
まず、送信ホスト６が、自身に接続される通信装置１に対し、帯域保証サービスの提供を要求すると、通信装置１は、受信ホスト７が接続される通信装置３に、動的に決定された通信経路に従ってパスメッセージ４を送信する。パスメッセージ４は、セッションＩＤ（Ｓ−ＩＤ）と、ユーザの優先度を示す値であるユーザクラス（Ｃｌａｓｓ）と、要求帯域（ＢＷ）と、を含む。
【００１２】
各通信装置１及び２は、次ホップの通信装置とのリンクの余剰帯域がパスメッセージ４に含まれる要求帯域を提供可能な場合は次ホップの通信装置にパスメッセージ４を転送する。
【００１３】
受信ホスト７が接続される通信装置３は、パスメッセージ４を受信した場合、通信装置１にリソース予約メッセージ５を送信する。リソース予約メッセージ５は、セッションＩＤ（Ｓ−ＩＤ）と、構築する論理パスのＩＤ（ＩＰ−ＩＤ）と、要求帯域（ＢＷ）とを含む。
【００１４】
これによって、各通信装置１〜３は、要求帯域を予約設定しながら、Ｅｎｄ−Ｅｎｄの論理パスを構築できる。以上、ＩＰインターワークを実現するためには、分散制御によって動的に構築されるＩＰ／ＭＰＬＳ網の論理パスに、集中制御によって構築される伝送網の論理パスを接続することによって、帯域保証サービスを提供する技術が必要である。
【００１５】
帯域保証サービスを提供する従来方式として、ＩＰ／ＭＰＬＳ網において、集中制御によって動的に論理パスが構築されることによって、ユーザの要求帯域を確保する方法が知られている（例えば、特許文献１参照）。具体的には、管理サーバが集中制御によってＩＰ／ＭＰＬＳ網内のすべて論理パスを構築し、リソースの利用状況に基づいて論理パスを変更することによって、ＩＰ／ＭＰＬＳ網内のトラヒックを分散する。
【００１６】
また、ＡＴＭ（Asynchronous Transfer Mode）網において帯域保証サービスを提供する方式が知られている（例えば、特許文献２参照）。具体的には、管理者が論理パスを静的に構築するＰＶＣ（Permanent Virtual Connections）方式と、装置間で論理パスを動的に構築するＳＶＣ（Switched Virtual Connections）方式と、が混在したＡＴＭ網において、ＳＶＣセッションが使用する帯域を制限するために、ＳＶＣ方式で構築される論理パスの帯域の合計値にしきい値が設定される。これによって、ＳＶＣセッションが使用する帯域の合計値がしきい値以下となることによって、静的な論理パスを使用するＰＶＣセッションの帯域を確保できる。また、新たにＰＶＣセッションが接続されるための余剰帯域が不足した場合、ＳＶＣセッションのしきい値が低くなるように変更し、ＳＶＣセッションの保証帯域が変更後のしきい値より低くなるまで新規のセッションを受け付けないようにすることによって、ＰＶＣセッションの確立が優先される。
【先行技術文献】
【特許文献】
【００１７】
【特許文献１】特開２００５−２１７８３８号公報
【特許文献２】特開平１１−１３６２５６号公報
【発明の概要】
【発明が解決しようとする課題】
【００１８】
特許文献１では、管理サーバが、ＩＰ／ＭＰＬＳ網内で使用されるすべての論理パスを動的に設定し、またリソースの利用状況に基づいて論理パスを頻繁に変更するので、管理サーバの負荷が非常に高くなる。これは、特許文献１に開示された管理サーバをＩＰインターワークに適用した場合であっても、同様の課題が発生する。
【００１９】
また、特許文献２では、静的に構築されるパスと動的に構築されるパスとを混在させることによって、ネットワーク内のトラヒックを分散させることができるが、静的なパスを利用するセッションのために、動的なパスの構築が制限されるので、静的なパスを使用するセッションのユーザがいない場合でも、動的なパスを一定以上構築できず、リソースを有効に利用できない。
【００２０】
そこで本発明の目的は、管理サーバの負荷を抑制しつつ、通信網からの動的な帯域保証の要求に対し、伝送網のリソースを効率よく利用し、通信網の論理パスと伝送網の論理パスとを接続する伝送システムを提供することである。
【課題を解決するための手段】
【００２１】
本発明の代表的な一例を示せば、伝送網の構成要素となる複数の伝送装置と、通信網の構成要素となる複数の通信装置と、前記伝送網を介して接続される通信装置の間でセッションを確立してデータを送信する場合、前記伝送網内において始点となる伝送装置から終点となる伝送装置までの通信経路を示す第１論理パスを構築する管理計算機と、を備える伝送システムにおいて、前記始点となる伝送装置と前記終点となる伝送装置との間には、複数のセッションに対応した複数の第１論理パスが構築可能であって、前記管理計算機は、前記通信装置に接続される任意の二つの前記伝送装置の間の最短経路を使用するデフォルトパスを予め構築し、当該デフォルトパスの識別情報と当該デフォルトパスを通過する情報の宛先とを対応付けて格納し、動的に構築される第１論理パスに関する条件が前記管理計算機に予め設定され、一方の通信装置は、前記伝送網を介して接続される他方の通信装置に前記セッションを確立してデータ送信を開始する場合、データの宛先、前記セッションの保証帯域、及び前記確立するセッションの優先度を示すクラスを含む制御情報を自身に接続された前記伝送装置に送信し、前記伝送装置は、前記制御情報を受信した場合、前記受信した制御情報を前記管理計算機に送信し、前記管理計算機は、前記制御情報を受信した場合、前記制御情報に含まれる宛先に対応する前記デフォルトパスを特定し、前記特定したデフォルトパスの余剰帯域が前記制御情報に含まれる保証帯域以上である場合、前記特定したデフォルトパスを、前記一方の通信装置から前記他方の通信装置までの前記通信網内における通信経路となるように設定された第２論理パスと対応付けるように、前記特定したデフォルトパスを構成する伝送装置を設定し、前記確立するセッションが所定の優先度よりも小さいクラスを含む制御情報を受信し、前記特定したデフォルトパスの余剰帯域が前記制御情報に含まれる保証帯域よりも小さい場合であって、かつ、すでに動的に構築された第１論理パスに関する情報が前記条件に一致する場合、前記特定したデフォルトパスと異なる経路を使用する論理パスを前記第１論理パスとして動的に構築し、前記受信した制御情報によって確立されるセッションを前記動的に構築した第１論理パスに割り当て、前記動的に構築した第１論理パスを前記第２論理パスと対応付けるように、前記動的に構築した第１論理パスを構成する伝送装置を設定し、前記確立するセッションが所定の優先度以上であるクラスを含む制御情報を受信し、かつ前記特定したデフォルトパスの余剰帯域が前記制御情報に含まれる保証帯域よりも小さい場合、所定時間処理を待機し、前記所定時間内に新たに制御情報を受信した場合、前記処理を待機する契機となった制御情報に対応する特定したデフォルトパス、及び当該デフォルトパスが使用する経路に含まれる隣接する二つの伝送装置間のリンクを含む論理パスを、前記新たに受信した制御情報に対する第１論理パスの候補から除外し、前記所定時間内に、前記特定したデフォルトパスの余剰帯域が前記制御情報に含まれる保証帯域以上となった場合、前記特定したデフォルトパスを前記第２論理パスと対応付けるように、前記特定したデフォルトパスを構成する伝送装置を設定することによって、前記セッションを確立し、前記所定時間内に、前記特定したデフォルトパスの余剰帯域が前記制御情報に含まれる保証帯域以上とならなかった場合、前記待機を解除し、前記制御情報を送信した伝送装置にエラーを示すエラー情報を送信し、前記伝送装置は、前記エラー情報を受信した場合、前記制御情報を送信した通信装置に前記エラー情報を送信することを特徴とする。
【発明の効果】
【００２２】
本願において開示される発明のうち代表的なものによって得られる効果を簡潔に説明すれば、下記の通りである。すなわち、管理サーバの負荷を抑制しつつ、通信網からの動的な帯域保証の要求に対し、伝送網のリソースを効率よく利用し、通信網の論理パスと伝送網の論理パスとを接続する伝送システムを提供できる。
【図面の簡単な説明】
【００２３】
【図１】本発明の第１実施形態の伝送システムの構成の説明図である。
【図２】本発明の第１実施形態の伝送装置の構成の説明図である。
【図３】本発明の第１実施形態の管理サーバ構成の説明図である。
【図４】本発明の第１実施形態の論理パス設定テーブルの説明図である。
【図５】本発明の第１実施形態の論理パス管理テーブルの説明図である。
【図６】本発明の第１実施形態のリンク管理テーブルの説明図である。
【図７】本発明の第１実施形態のユーザクラス管理テーブルの説明図である。
【図８】本発明の第１実施形態の伝送網パス構築処理のシーケンス図である。
【図９】本発明の第１実施形態の管理サーバによる伝送網パス決定処理のフローチャートである。
【図１０】本発明の第１実施形態の伝送網パス構築処理における論理パス管理テーブル１４０に登録された情報の遷移の説明図である。
【図１１】本発明の第２実施形態の伝送網パス構築処理のシーケンス図である。
【図１２】本発明の第２実施形態の管理サーバによる伝送網パス決定処理のフローチャートである。
【図１３】本発明の第３実施形態の伝送網パス決定処理のフローチャートである。
【図１４】本発明の第４実施形態の管理サーバによる初期設定後の論理パス管理テーブル１４０の説明図である。
【図１５】ＲＳＶＰ−ＴＥを用いたＩＰ／ＭＰＬＳ網の帯域予測処理の概要の説明図である。
【発明を実施するための形態】
【００２４】
（第１実施形態）
本発明の第１実施形態を図１〜図１０を用いて説明する。
【００２５】
図１は、本発明の第１実施形態の伝送システムの構成の説明図である。
【００２６】
伝送システムは、ユーザサイト４００Ａ〜４００Ｄ（以下、総称してユーザサイト４００という）が接続されるＩＰ／ＭＰＬＳ網２０の構成要素となる複数の通信装置２００Ａ〜２００Ｈ（以下、総称して通信装置２００という）と、伝送網３０の構成要素となる複数の伝送装置３００Ａ〜３００Ｄ（以下、総称して伝送装置３００という）と、伝送装置３００を管理する管理サーバ１００と、を備える。伝送網３０は、ＩＰ／ＭＰＬＳ網２０のコアとして機能する。管理サーバ１００は、伝送装置３００と図示しない管理ネットワークを介して接続される。
【００２７】
また、ユーザサイト４００の間でデータを送受信する場合、各通信装置２００によってデータの宛先に応じて動的に構築されたＩＰ／ＭＰＬＳ網２０の論理パスと、伝送網３０の論理パスとがマッピングされる。例えば、ユーザサイト４００Ａとユーザサイト４００Ｂとがデータを通信する場合、ＩＰ／ＭＰＬＳ網２０の論理パス２０１と伝送網３０の論理パス３０１とが接続される。
【００２８】
本実施形態では、伝送網３０で用いる通信プロトコルがＭＰＬＳ−ＴＰである場合を一例として説明するが、本発明は、伝送網３０で用いる通信プロトコルに依存することなく、同様の効果を奏する。また、本実施形態では、ＩＰ／ＭＰＬＳ網２０の帯域予約プロトコルがＲＳＶＰ−ＴＥであるについて説明するが、論理パスの構築と同時に帯域を予約する帯域予約プロトコル（例えば、ＣＲ−ＬＤＰ(Constraint-based Label Distribution Protocol)等）であれば、本発明は、同様の効果を奏する。
【００２９】
なお、通信装置２００の数、伝送装置３００の数、及びユーザサイト４００の数は、図１に限定されないことは言うまでもない。
【００３０】
図２は、本発明の第１実施形態の伝送装置３００の構成の説明図である。
【００３１】
伝送装置３００は、一つ以上のＩＰ／ＭＰＬＳ網ＩＦ（インタフェース）３１０、一つ以上の装置制御部３３０、スイッチ（ＳＷ）部３４０、及び一つ以上の伝送網ＩＦ（インタフェース）３５０を有する。
【００３２】
図２に示す実線矢印は主信号の流れを示し、破線矢印は制御信号の流れを示す。
【００３３】
装置制御部３３０は、管理サーバ１００に管理ネットワークを介して接続され、管理サーバ１００から受信した設定情報をＳＷ部３４０、ＩＰ／ＭＰＬＳ網ＩＦ３１０、及び伝送網ＩＦ３５０に設定する。また、装置制御部３３０は、ＩＰ／ＭＰＬＳ網２０における帯域予約プロトコルの制御情報（パスメッセージ及びリソース予約メッセージ）を、管理サーバ１００に転送する。
【００３４】
ＳＷ部３４０は、ＩＰ／ＭＰＬＳ網ＩＦ３１０又は伝送網ＩＦ３５０から受信したパケットを解析し、受信したパケットの転送先を特定し、特定した転送先に基づいて、適切なＩＰ／ＭＰＬＳ網ＩＦ３１０又は伝送網ＩＦ３５０に受信したパケットを送信する。
【００３５】
伝送網ＩＦ３５０は、伝送網３０を構成する他の伝送装置３００に接続されるインタフェースであり、ＳＷ部３４０及び伝送網３０との図示しない送受信回路、並びに装置制御部３３０と通信するカード制御部等を有する構成される。
【００３６】
ＩＰ／ＭＰＬＳ網ＩＦ３１０は、カード制御部３１８、受信回路３１１、Ｌ２受信処理部３１２、受信パケット解析振分部３１３、ＭＰＬＳ−ＴＰカプセル化部３１４、論理パス設定テーブル３１５、スケジューラ３１６、ＳＷ送信回路３１７、ＳＷ受信回路３１９、送信パケット解析振分部３２０、ＭＰＬＳ−ＴＰＯＡＭ処理部３２１、ＭＰＬＳ−ＴＰ終端部３２２、Ｌ２送信処理部３２３、及び送信回路３２４を有する。
【００３７】
カード制御部３１８は、装置制御部３３０に接続され、装置制御部３３０から入力された設定情報に基づいて、ＩＰ／ＭＰＬＳ網ＩＦ３１０の各構成部を設定する機能と、各構成部に設定された情報を読み出し、読み出された情報を装置制御部３３０に出力する機能を有する。
【００３８】
受信回路３１１は、接続された通信装置２００からデータを受信する。
【００３９】
Ｌ２受信処理部３１２は、通信装置２００と伝送装置３００との間を接続するＯＳＩ（Open Systems Interconnection）参照モデルのデータリンク層のプロトコルを終端させる。データリンク層プロトコルが例えばイーサネット（登録商標、以下同じ）の場合、Ｌ２受信処理部３１２は、イーサネットフレームの終端処理を実行する。また、Ｌ２受信処理部３１２は、受信したイーサネットフレームの送信元ＭＡＣアドレスを学習し、学習したＭＡＣアドレスをＬ２送信処理部３２３と共有する。
【００４０】
受信パケット解析振分部３１３は、Ｌ２受信処理部３１２から入力されたパケットを解析し、解析の結果、入力されたパケットがデータパケットである場合、入力されたパケットをＭＰＬＳ−ＴＰカプセル化部３１４に出力する。一方、受信パケット解析振分部３１３は、解析の結果、入力受信したデータがＩＰ／ＭＰＬＳで使用される帯域予約プロトコルの制御パケットである場合、入力された帯域予約制御パケットをスヌーピングし、帯域予約の情報をカード制御部４９に出力するとともに、帯域予約メッセージをＭＰＬＳ−ＴＰカプセル化部３１４に出力する。
【００４１】
論理パス設定テーブル３１５は、ＩＰ／ＭＰＬＳ網２０の論理パスのＩＤ（ＩＰ／ＭＰＬＳ網パスＩＤ）と伝送網３０の論理パス（伝送網パスＩＤ）とを対応付けるテーブルである。論理パス設定テーブル３１５の詳細は、図４で詳細を説明する。
【００４２】
ＭＰＬＳ−ＴＰカプセル化部３１４は、伝送網３０にパケットを送信する場合に、送信するパケットをＭＰＬＳ−ＴＰのフォーマットでカプセル化する。
【００４３】
具体的には、ＭＰＬＳ−ＴＰカプセル化部３１４は、データパケットにＩＰ／ＭＰＬＳ網パスＩＤが含まれる場合、論理パス設定テーブル３１５を参照し、データパケットにＩＰ／ＭＰＬＳ網パスＩＤに対応付けられた伝送網パスＩＤを取得し、取得した伝送網パスＩＤによって識別される論理パスを転送すべき論理パスとして決定し、当該データパケットをカプセル化し、カプセル化したデータパケットをスケジューラ３１６に転送する。
【００４４】
一方、ＭＰＬＳ−ＴＰカプセル化部３１４は、データパケットが帯域予約制御パケットなどであって、データパケットにＩＰ／ＭＰＬＳ網パスＩＤが含まれない場合、論理パス設定テーブル３１５を参照し、当該データパケットに含まれる宛先ネットワークに対応する伝送網パスＩＤを取得し、取得した伝送網パスＩＤによって識別される論理パスを転送すべき論理パスとして決定し、当該データパケットをカプセル化し、カプセル化したデータパケットをスケジューラ３１６に転送する。
【００４５】
スケジューラ３１６は、ＭＰＬＳ−ＴＰカプセル化部３１４、及びＭＰＬＳ−ＴＰＯＡＭ処理部３２１によるＭＰＬＳパケットの出力を調停する。また、スケジューラ３１６は、受信したＭＰＬＳパケットをＳＷ送信回路３１７に出力する。
【００４６】
ＳＷ送信回路３１７は、スケジューラ３１６から入力されたＭＰＬＳパケットをＳＷ部３４０に出力する。
【００４７】
ＭＰＬＳ−ＴＰＯＡＭ処理部３２１は、ＭＰＬＳ−ＴＰのＯＡＭ処理を実行する。特に、ＭＰＬＳ−ＴＰＯＡＭ処理部３２１は、隣接する伝送装置３００間の平均パケット遅延を測定する機能(ＤＭ：Delay Measurement)を有し、平均パケット遅延等の伝送装置３００の状態を管理サーバ１００に周期的に通知する。
【００４８】
ＳＷ受信回路３１９は、ＳＷ部３４０から入力されたパケットを、送信パケット解析振分部３２０に出力する。
【００４９】
送信パケット解析振分部３２０は、ＳＷ受信回路３１９から入力されたＭＰＬＳパケットを解析し、入力されたＭＰＬＳパケットをデータパケット、ＭＰＬＳ−ＴＰＯＡＭパケット、及び帯域予約制御パケットのいずれかに分類する。そして、送信パケット解析振分部３２０は、データパケット、及び帯域予約制御パケットをＭＰＬＳ−ＴＰ終端部３２２に出力し、ＭＰＬＳ−ＴＰＯＡＭパケットをＭＰＬＳ−ＴＰＯＡＭ処理部３２１に出力する。
【００５０】
ＭＰＬＳ−ＴＰ終端部３２２は、入力されたＭＰＬＳパケットからＭＰＬＳ−ＴＰヘッダをデカプセル化し、デカプセル化したパケットをＬ２送信処理部３２３に出力する。
【００５１】
Ｌ２送信処理部３２３は、ＭＰＬＳ−ＴＰ終端部３２２からパケットが入力された場合、Ｌ２受信処理部３１２と共有しているＭＡＣアドレスに基づいてＭＡＣヘッダを生成し、生成したＭＡＣヘッダをパケットに付与して送信回路３２４に出力する。
【００５２】
送信回路３２４は、Ｌ２送信処理部３２５から入力されたパケットを通信装置２００に送信する。
【００５３】
図３は、本発明の第１実施形態の管理サーバ１００の構成の説明図である。
【００５４】
管理サーバ１００は、装置設定部１１０、設定処理部１２０、管理者設定部１３０、論理パス管理テーブル１４０、リンク管理テーブル１５０、及びユーザクラス管理テーブル１６０を有する。管理サーバ１００は、図示しないＣＰＵ、図示しないメモリ、及び図示しない外部記憶装置等を有する。装置設定部１１０、設定処理部１２０、管理者設定部１３０は、メモリに格納された各部に対応するプログラムをＣＰＵが実行することによって実現される。論理パス管理テーブル１４０、リンク管理テーブル１５０、及びユーザクラス管理テーブル１６０は、メモリに格納される。
【００５５】
装置設定部１１０は、伝送装置３００と図示しない管理ネットワークを介して接続され、設定処理部１２０から入力される設定情報を伝送装置３００に送信する機能を備える。また、装置設定部１１０は、伝送装置３００から送信されるＩＰ／ＭＰＬＳ網２０における帯域予約プロトコルの制御情報、及び伝送装置３００のＯＡＭ機能による伝送網３０の状態情報等を受信する機能を備える。
【００５６】
論理パス管理テーブル１４０には、伝送網３０内に構築された論理パスに関する情報が登録される。論理パス管理テーブル１４０の詳細は図５で説明する。
【００５７】
リンク管理テーブル１５０には、伝送網３０を構成する隣接する二つの伝送装置３００間のリンクの余剰帯域及び当該リンクによる遅延時間に関する情報が登録される。リンク管理テーブル１５０の詳細は図６で説明する。
【００５８】
ユーザクラス管理テーブル１６０には、一方の通信装置２００が他方の通信装置２００にデータを送信する場合に確立されるセッションの優先度を示すクラスに対して許容される遅延時間が登録される。ユーザクラス管理テーブル１６０の詳細は図７で詳細を説明する。
【００５９】
設定処理部１２０は、伝送網３０内の論理パスの構築し、伝送網３０内に構築された論理パスを削除し、伝送網３０内に構築された論理パスの状態を管理する。設定処理部１２０は、論理パス設定部１２２、リンク情報処理部１２３、ユーザクラス設定部１２４、及び動的パス判定／生成部１２５を有する。
【００６０】
論理パス設定部１２２は、管理者によって生成された伝送網３０内の論理パス及び動的パス判定／生成部１２５によって動的に生成された伝送網３０内の論理パスを、これらの論理パスの経路となる伝送装置３００に、装置設定部１１０を介して設定する。また、論理パス設定部１２２は、伝送装置３００から送信されるＩＰ／ＭＰＬＳ網２０における帯域予約プロトコルの制御情報に基づいて、論理パス管理テーブル１４０を更新する。
【００６１】
リンク情報処理部１２３は、リンク管理テーブル１５０を管理する。具体的には、リンク情報処理部１２３は、リンク管理テーブル１５０に情報を登録し、又は、リンク管理テーブル１５０を更新する。
【００６２】
ユーザクラス設定部１２４は、ユーザクラス管理テーブル１６０を管理する。具体的には、ユーザクラス設定部１２４は、管理者の操作に基づいてユーザクラス管理テーブル１６０に情報を登録し、又は、ユーザクラス管理テーブル１６０を更新する。
【００６３】
動的パス判定／生成部１２５は、伝送網３０内に論理パスを動的に生成し、生成した論理パスに関する情報を論理パス設定部１２２に通知する。
【００６４】
上述した各構成、機能、処理部、及び処理手段等は、それらの一部又は全部を、例えば集積回路で設計する等によりハードウェアで実現してもよい。また、上述した各構成、及び機能等は、プロセスがそれぞれの機能を実現するプログラムを解釈し、実行することによってソフトウェアで実現する場合を説明したが、各機能を実現するプログラム、テーブル、及びファイル等の情報は、メモリのみならず、ハードディスク、ＳＳＤ（Solid State Drive）等の記録装置、又は、ＩＣカード、ＳＤカード、及びＤＶＤ等の記録媒体に記憶できるし、必要に応じてネットワーク等を介してダウンロード及びインストールすることも可能であることは言うまでもない。
【００６５】
図４は、本発明の第１実施形態の論理パス設定テーブル３１５の説明図である。
【００６６】
論理パス設定テーブル３１５は、伝送網パスＩＤ（ＴＰ−ＩＤ）５０１、ＩＰ／ＭＰＬＳ網パスＩＤ（ＩＰ−ＩＤ）、及び宛先ネットワークアドレス５０３を含む。
【００６７】
伝送網パスＩＤ５０１には、伝送網３０内の論理パスの識別情報が登録される。ＩＰ／ＭＰＬＳ網パスＩＤ５０２には、ＩＰ／ＭＰＬＳ網２０内の論理パスの識別情報が登録される。宛先ネットワークアドレス５０３には、伝網パスＩＤ５０１に登録された論理パスの識別情報によって識別される伝送網３０内の論理パスを通過するパケットの送信先のアドレス情報が登録される。
【００６８】
論理パス設定テーブル３１５は、伝送網３０内に構築された論理パスと、ＩＰ／ＭＰＬＳ網２０内の論理パス及びこれらの論理パスを通過するパケット送信先のアドレス情報と対応付ける（マッピングする）テーブルである。
【００６９】
図５は、本発明の第１実施形態の論理パス管理テーブル１４０の説明図である。
【００７０】
論理パス管理テーブル１４０は、伝送網パスＩＤ（ＴＰ−ＩＤ）１４１、入力装置ＩＤ１４２、出力装置ＩＤ１４３、余剰帯域１４４、宛先ネットワークアドレス１４５、セッションＩＤ（Ｓ−ＩＤ）１４６、ＩＰ／ＭＰＬＳ網パスＩＤ（ＩＰ−ＩＤ）１４７、ユーザクラス（Ｃｌａｓｓ）１４８、要求帯域（ＢＷ）１４９、及び使用リンク１５５を含む。
【００７１】
伝送網パスＩＤ（ＴＰ−ＩＤ）１４１には、伝送網３０内の論理パスの識別情報が登録される。入力装置ＩＤ１４２には、伝送網３０内の論理パスの始点となる伝送装置３００の識別情報が登録される。出力装置ＩＤ１４３には、伝送網３０内の論理パスの終点となる伝送装置３００の識別情報が登録される。余剰帯域１４４には、伝送網３０内の論理パスが提供可能な帯域から、既に予約された帯域を除いた値が登録される。宛先ネットワークアドレス１４５には、伝送網３０内の論理パスを通過するパケットの送信先のアドレス情報が登録される。
【００７２】
セッションＩＤ１４６には、伝送網３０内の論理パスに割り当てられたセッションの識別情報が登録される。ＩＰ／ＭＰＬＳ網パスＩＤ１４７には、伝送網３０内の論理パスに対応付けられたＩＰ／ＭＰＬＳ網２０内の論理パスの識別情報が登録される。ユーザクラス１４８には、セッションＩＤ１４６に登録されたセッションの識別情報によって識別されるセッションの優先度を示す情報であるクラスが登録される。要求帯域１４９には、セッションＩＤ１４６に登録されたセッションの識別情報によって識別されるセッションの要求帯域を示す値が登録される。使用リンク１５５には、伝送網３０内の論理パスが使用する経路を構成するリンクが登録される。
【００７３】
図６は、本発明の第１実施形態のリンク管理テーブル１５０の説明図である。
【００７４】
リンク管理テーブル１５０は、送信元装置ＩＤ１５１、送信先装置ＩＤ１５２、余剰帯域１５３、及び装置間遅延１５４を含む。
【００７５】
送信元装置ＩＤ１５１には、リンクを構成する二つの伝送装置３００のうちデータの送信元となる伝送装置３００の識別情報が登録される。送信先装置ＩＤ１５２には、リンクを構成する二つの伝送装置３００のうちデータの送信先となる伝送装置３００の識別情報が登録される。
【００７６】
余剰帯域１５３には、リンクが提供可能な帯域から、既に予約された帯域を除いた値が登録される。装置間遅延１５４には、リンクによる遅延時間を示す値が登録される。
【００７７】
送信元装置ＩＤ１５１及び送信先装置ＩＤ１５２には、リンクを構成する二つの伝送装置３００の識別情報が予め登録される。余剰帯域１５３には、リンクが提供可能な帯域を示す値が予め登録されており、当該リンクに所定の帯域が予約されると、提供可能な帯域から予約された帯域が減算された値に更新される。装置間遅延１５４には、伝送装置３００のＯＡＭ機能によって測定された遅延時間に基づいて更新される。
【００７８】
図７は、本発明の第１実施形態のユーザクラス管理テーブル１６０の説明図である。
【００７９】
ユーザクラス管理テーブル１６０は、ユーザクラス１６１及び許容遅延１６２を含む。
【００８０】
ユーザクラス１６１には、セッションの優先度を示す情報であるクラスが登録される。許容遅延１６２には、各クラスで許容される遅延時間を示す値が登録される。なお、許容遅延１６２に登録された値が高ければ高いほどクラスの優先度は高くなる。
【００８１】
次に、図８〜図１０を用いて、伝送網３０内に論理パスを構築する伝送網パス構築処理と伝送網パス構築処理における論理パス管理テーブル１４０に登録された情報の遷移について説明する。
【００８２】
図８は、本発明の第１実施形態の伝送網パス構築処理のシーケンス図である。図９は、本発明の第１実施形態の管理サーバ１００による伝送網パス決定処理のフローチャートである。図１０は、本発明の第１実施形態の伝送網パス構築処理における論理パス管理テーブル１４０に登録された情報の遷移の説明図である。
【００８３】
図８では、図１に示すユーザサイト４００Ａからユーザサイト４００Ｂにデータを送信するためのセッションＡを確立した後、図１に示すユーザサイト４００Ｃからユーザサイト４００Ｄにデータを送信するためのセッションＢを確立する場合について説明する。
【００８４】
まず、管理サーバ１００による初期設定について説明する。
【００８５】
管理者からの入力に基づいて、管理サーバ１００は、通信装置２００と接続される任意の二つの伝送装置３００間で最短経路となる一つの論理パスを静的に設定する（Ｓ７００）。この静的に設定される論理パスをデフォルトパスという。
【００８６】
具体的には、論理パス設定部１２２は、管理者の入力に基づいて、デフォルトパスに伝送網パスＩＤ（図８では、ＴＰ−ＩＤ：１０００）を付与する。そして、論理パス設定部１２２は、デフォルトパスの経路を構成する伝送装置３００の論理パス設定テーブル３１５にデフォルトパスの伝送網パスＩＤ、及び当該デフォルトパスに対応付けられる宛先となるアドレス情報を設定する設定命令を、これらの伝送装置３００に装置設定部１１０を介して送信する。
【００８７】
また、論理パス設定部１２２は、デフォルトパスに関連する情報を論理パス管理テーブル１４０に登録する（図１０（Ａ）参照）。図１０（Ａ）では、論理パス管理テーブル１４０の伝送網パスＩＤ１４１には、デフォルトパスの識別情報（ＴＰ−ＩＤ：１０００）が登録され、入力装置ＩＤ１４２には、当該デフォルトパスの始点となる伝送装置３００の識別情報（ＴＰ１）が登録され、出力装置ＩＤ１４３には、当該デフォルトパスの終点となる伝送装置３００の識別情報（ＴＰ２）が登録され、余剰帯域１４４には、当該デフォルトパスが提供可能な帯域を示す値（５００ＭＢ）が登録され、使用リンク１５５には、当該デフォルトパスが使用する経路を構成するリンク（１−２）を示す情報が登録される。なお、論理パス設定部１２２は、論理パス管理テーブル１４０の余剰帯域１４４にデフォルトパスが提供可能な帯域を示す値を登録する場合、リンク管理テーブル１５０を参照し、当該デフォルトパスが使用する経路を構成するリンクの余剰帯域の最低値を余剰帯域１４４に登録する。
【００８８】
なお、セッションＩＤ１４６、ＩＰ／ＭＰＬＳ網パスＩＤ１４７、ユーザクラス１４８、及び要求帯域１４９に登録される情報は現時点で不明であるため、セッションＩＤ１４６、ＩＰ／ＭＰＬＳ網パスＩＤ１４７、ユーザクラス１４８、及び要求帯域１４９には何も登録されない。
【００８９】
また、ユーザクラス設定部１２４は、管理者からの入力に基づいて、ユーザクラス管理テーブル１６０のユーザクラス１６１にクラスを登録するとともに、許容遅延１６２に各クラスで許容する遅延時間を登録する。
【００９０】
さらに、管理サーバ１００は、管理者からの入力に基づいて、動的に構築される伝送網パスに関する条件（動的設定制約条件）を動的パス判定／生成部１２５に設定する。本実施形態では、動的設定制約条件は、所定時間に動的に構築される伝送網パスの本数が所定値以下であるという条件である。すでに動的に構築された伝送網パスに関する情報が動的設定制約条件を満たさない場合、管理サーバ１００は伝送網パスを動的に構築しないので、伝送網パスを動的に構築する処理による管理サーバ１００の負荷の増加を抑制できる。
【００９１】
以上によって、管理サーバ１００の初期設定が終了する。
【００９２】
伝送装置３００Ａは、パスメッセージＡを通信装置２００Ｂから受信する。パスメッセージＡは、セッションを確立するための制御情報であり、セッションの要求帯域情報（ＢＷ：１００ＭＢ）、セッションのクラス情報（Ｃｌａｓｓ：２）、及びセッション識別情報（Ｓ−ＩＤ：Ａ）を含む。伝送装置３００ＡがパスメッセージＡを受信した場合、伝送装置３００Ａの受信パケット解析振分部３１３は、パスメッセージＡをスヌーピングして、要求帯域情報、クラス情報、及びセッション識別情報を取得し、パスメッセージＡをＭＰＬＳ−ＴＰカプセル化部３１４に出力する。
【００９３】
ＭＰＬＳ−ＴＰカプセル化部３１４は、入力されたパスメッセージＡをカプセル化する。そして、ＭＰＬＳ−ＴＰカプセル化部３１４は、論理パス設定テーブル３１５を参照し、パスメッセージＡに含まれる宛先ネットワークアドレスに対応する伝送網パス（ＴＰ−ＩＤ：１０００）を特定し、カプセル化されたパスメッセージＡを特定した伝送網パスを使用して通信装置２００Ｃに送信する（Ｓ７０１）。なお、パスメッセージＡには、ＩＰ／ＭＰＬＳ網パスＩＤ（ＩＰ−ＩＤ）が付与されていないため、デフォルトパスを使用して通信装置２００Ｃに送信されることになる。
【００９４】
また、受信パケット解析振分部３１３は、パスメッセージＡから取得したセッション識別情報、クラス情報、要求帯域情報、及びパスメッセージＡの宛先ネットワークに対応する伝送網パスの識別情報を含むパスメッセージＡ通知（第１制御情報）を管理サーバ１００に通知する（Ｓ７０２）。
【００９５】
管理サーバ１００は、パスメッセージ通知を受信した場合、データ送信に用いられる伝送網３０内の論理パスを決定する伝送網パス決定処理を実行する。図９を用いて伝送網パス決定処理を説明する。
【００９６】
まず、論理パス設定部１２２は、論理パス管理テーブル１４０を参照して、パスメッセージ通知に含まれるデフォルトパス識別情報と一致するデフォルトパスを特定する（Ｆ５００）。具体的には、論理パス設定部１２２は、論理パス管理テーブル１４０の伝送網パスＩＤ１４１に登録された伝送網パス識別情報がパスメッセージ通知に含まれるデフォルトパス識別情報と一致するエントリを特定する。
【００９７】
次に、論理パス設定部１２２は、Ｆ５００の処理で特定されたデフォルトパスの余剰帯域がパスメッセージに含まれる要求帯域情報が示す帯域（要求帯域）よりも小さいか否かを判定する（Ｆ５０１）。具体的には、論理パス設定部１２２は、Ｆ５００の処理で特定された論理パス管理テーブル１４０のエントリに含まれる余剰帯域１４４に登録された帯域が、パスメッセージ通知に含まれる要求帯域よりも小さいか否かを判定する。
【００９８】
Ｆ５００の処理で特定された伝送網パスの余剰帯域がパスメッセージ通知に含まれる要求帯域以上であると判定された場合（Ｆ５０１：Ｎｏ）、デフォルトパスをパスメッセージ通知のセッションに割り当てても要求帯域が保証されるため、論理パス設定部１２２は、デフォルトパスをデータ送信論理パスに決定し、論理パス管理テーブル１４０を更新し（Ｆ５０７）、送網パス決定処理を終了する。
【００９９】
具体的には、論理パス設定部１２２は、Ｆ５００の処理で特定された論理パス管理テーブル１４０のエントリに含まれるセッションＩＤ１４６にパスメッセージ通知に含まれるセッション識別情報を登録し、ユーザクラス１４８にパスメッセージ通知に含まれるクラスを登録し、要求帯域１４９にパスメッセージ通知に含まれる要求帯域情報を登録する。また、論理パス設定部１２２は、Ｆ５００の処理で特定された論理パス管理テーブル１４０のエントリに含まれる余剰帯域１４４に登録された帯域の値からパスメッセージ通知に含まれる要求帯域の値を減算した値を、当該余剰帯域１４４に登録する。さらに、リンク情報処理部１２３は、リンク管理テーブル１５０のＦ５００の処理で特定された論理パスが使用するリンクの余剰帯域１５３に登録された値からパスメッセージ通知に含まれる要求帯域の値を減算した値を、当該余剰帯域１５３に登録する。
【０１００】
一方、Ｆ５００の処理で特定された伝送網パスの余剰帯域がパスメッセージ通知に含まれる要求帯域より小さいと判定された場合（Ｆ５０１：Ｙｅｓ）、論理パス設定部１２２は、パスメッセージ通知に含まれる要求帯域情報、Ｆ５００の処理で特定されたエントリの入力装置ＩＤ１４０２及び出力装置ＩＤ１４０３に登録された伝送装置３００の識別情報、並びにパスメッセージ通知に含まれるクラス情報を、動的パス判定／生成部１２５に通知する。
【０１０１】
動的パス判定／生成部１２５は、現時刻から所定時間前までの間に論理パスが動的に設定された回数が、動的設定制約条件として予め設定された閾値以下であるか否かを判定する（Ｆ５０２）。
【０１０２】
Ｆ５０２の処理で、現時刻から所定時間前までの間に論理パスが動的に設定された回数が閾値よりも大きいと判定された場合（Ｆ５０２：Ｎｏ）、動的パス判定／生成部１２５は、パスメッセージの送信元の通信装置２００に対してエラーメッセージを送信する指令を、パスメッセージ通知を管理サーバ１００に送信した伝送装置３００に装置設定部１１０を介して送信し（Ｆ５０６）、処理を終了する。この場合、管理サーバ１００は、リソース予約メッセージを受信しても、当該リソース予約メッセージを破棄する。これによって、管理サーバ１００が論理パスを動的に設定する処理の負荷が大きい場合には、論理パスを動的に設定しないので、管理サーバ１００の処理負荷の増加を抑制できる。
【０１０３】
一方、現時刻から所定時間前までの間に論理パスが動的に設定された回数が閾値以内である判定された場合（Ｆ５０２：Ｙｅｓ）、動的パス判定／生成部１２５は、論理パスを動的に設定する処理を開始する。
【０１０４】
まず、動的パス判定／生成部１２５は、リンク管理テーブル１５０を参照し、通知された入力装置ＩＤ１４０２に登録された伝送装置３００の識別情報によって識別される伝送装置３００（入力伝送装置）から、通知された出力装置ＩＤ１４０３に登録された伝送装置３００の識別情報によって識別される伝送装置３００（出力伝送装置）までの経路のうち、通知された要求帯域、及び通知されたクラス情報に対応する許容遅延時間を満たす経路を特定する（Ｆ５０３）。
【０１０５】
具体的には、動的パス判定／生成部１２５は、リンク管理テーブル１５０を参照し、入力伝送装置から出力伝送装置までの経路のうち、当該経路を構成するすべてのリンクの余剰帯域が要求帯域以上である経路を特定する。そして、動的パス判定／生成部１２５は、リンク管理テーブル１５０を参照し、特定した経路の遅延時間の合計値が、通知されたクラス情報に対応する許容遅延時間以下である経路を特定する。
【０１０６】
次に、動的パス判定／生成部１２５は、Ｆ５０３の処理で経路が特定できたか否かを判定することによって、論理パスを動的に設定可能か否かを判定する（Ｆ５０４）。
【０１０７】
Ｆ５０３の処理で経路が特定できないとＦ５０４の処理で判定された場合（Ｆ５０４：Ｎｏ）、論理パスを動的に設定できないと判定し、Ｆ５０６の処理に進み、論理パス設定部１２２は、エラーメッセージの送信指令を、パスメッセージ通知を管理サーバ１００に送信した伝送装置３００に送信し、処理を終了する。
【０１０８】
一方、Ｆ５０３の処理で経路が特定できるとＦ５０４の処理で判定された場合（Ｆ５０４：Ｙｅｓ）、動的パス判定／生成部１２５は、論理パスを動的に設定できると判定し、リンク管理テーブル１５０を参照し、特定した経路の平均遅延時間を算出し、算出した平均遅延時間が最大となる経路をデータ送信論理パスに決定し、論理パス管理テーブル１４０を更新し（Ｆ５０５）、送網パス決定処理を終了する。
【０１０９】
具体的には、動的パス判定／生成部１２５は、論理パス管理テーブル１４０に新たなエントリを追加し、追加したエントリの伝送網パスＩＤ１４１にデータ送信論理パスの識別情報を登録し、入力装置ＩＤ１４２に通知された入力伝送装置の識別情報を登録し、出力装置ＩＤ１４３に通知された出力伝送装置の識別情報を登録し、余剰帯域１４４に０を登録し、ユーザクラス１４８に通知されたクラス情報を登録し、要求帯域１４９に通知された要求帯域情報を登録し、使用リンク１５５にデータ送信論理パスが使用する経路を構成するリンクを登録する。また、リンク情報処理部１２３は、リンク管理テーブル１５０のデータ送信論理パスが使用するリンクの余剰帯域１５３に登録された値からパスメッセージに含まれる要求帯域の値を減算した値を、当該余剰帯域１５３に登録する。
【０１１０】
なお、余剰帯域１４４０に０が登録されるのは、動的に設定された論理パスは、一つのセッションのみに割り当てられ、他のセッションに割り当てられないためである。
【０１１１】
次に、管理サーバ１００がパスメッセージＡを受信した場合の伝送網パス決定処理について説明する。
【０１１２】
まず、Ｆ５００の処理では、伝送装置３００Ａから受信したパスメッセージＡ通知の宛先ネットワークに対応する伝送網パスの識別情報と一致するデフォルトパスとして伝送網パスＩＤ「１０００」が特定される。
【０１１３】
次に、Ｆ５０１の処理では、論理パス管理テーブル１４０の伝送網パスＩＤ「１０００」のエントリの余剰帯域１４４に登録された値「５００ＭＢ」がパスメッセージＡ通知に含まれる要求帯域「１００ＭＢ」以上であると判定され（Ｆ５０１：Ｎｏ）、Ｆ５０７の処理に進む。
【０１１４】
Ｆ５０７の処理では、デフォルトパスである伝送網パスＩＤ「１０００」がデータ送信論理パスに決定され、論理パス管理テーブル１４０が更新される。具体的には、論理パス管理テーブル１４０の伝送網パスＩＤ１４１が「１０００」であるエントリのセッションＩＤ１４６に「Ａ」が登録され、ユーザクラス１４８に「２」が登録され、要求帯域１４９に「１００ＭＢ」が登録される。また、当該エントリの余剰帯域１４４に登録された「５００ＭＢ」から要求帯域「１００ＭＢ」を減算した値である「４００ＭＢ」が当該余剰帯域１４４に登録される。
【０１１５】
図８に戻り、データ送信論理パスをデフォルトパス「１０００」に決定した後のシーケンスを説明する。
【０１１６】
通信装置２００Ｃは、Ｓ７０１の処理で送信されたパスメッセージＡを受信した場合、リソース予約メッセージＡを通信装置２００Ｂに送信する（Ｓ７０３）。リソース予約メッセージＡは、セッション識別情報（Ｓ−ＩＤ：Ａ）、当該セッションに割り当てるＩＰ／ＭＰＬＳ網２０内の論理パスの識別情報（ＩＰ／ＭＰＬＳ網パスＩＤ）（ＩＰ−ＩＤ：１０）、及びセッション要求帯域情報（ＢＷ：１００ＭＢ）を含む。伝送装置３００Ｂがリソース予約メッセージＡを受信した場合、伝送装置３００Ｂの受信パケット解析振分部３１３は、受信したリソース予約メッセージＡをスヌーピングし、論理パス設定テーブル３１５を参照し、リソース予約メッセージＡの宛先ネットワークアドレスに対応するデフォルトパスである伝送網パス（ＴＰ−ＩＤ：５０００）を特定し、特定した伝送網パスを使用して伝送装置３００Ａを介して通信装置２００Ｂにリソース予約メッセージＡを送信する。
【０１１７】
また、伝送装置３００Ｂは、受信したリソース予約メッセージＡからセッション識別情報及びＩＰ／ＭＰＬＳ網パスＩＤを取得し、取得したセッション識別情報及びＩＰ／ＭＰＬＳ網パスＩＤをリソース予約通知Ａ（第２制御情報）として管理サーバ１００に通知する（Ｓ７０４）。
【０１１８】
管理サーバ１００は、リソース予約通知が通知された場合、伝送網パス決定処理でデータ送信論理パスに決定された論理パス（図８ではデフォルトパス（ＴＰ−ＩＤ：１０００））を、リソース予約通知に含まれるＩＰ／ＭＰＬＳ網の論理パスに対応付けるマッピング処理を実行する（Ｓ７０５）。
【０１１９】
マッピング処理では、管理サーバ１００の論理パス設定部１２２は、伝送網パス決定処理でデータ送信論理パスに決定された論理パスと、通知されたリソース予約通知に含まれるＩＰ／ＭＰＬＳ網パスＩＤによって識別されるＩＰ／ＭＰＬＳ網２０の論理パスとを対応付けるように、論理パス管理テーブル１４０を更新する。具体的には、論理パス管理テーブル１４０のうち、論理パス設定部１２２は、伝送網パス決定処理でデータ送信論理パスに決定された論理パスに対応するエントリのＩＰ／ＭＰＬＳ網パスＩＤ１４７に、通知されたリソース予約通知に含まれるＩＰ／ＭＰＬＳ網パスＩＤを登録する。
【０１２０】
図１０（Ｂ）に示すように、図８に示すＳ７０４の処理で通知されたリソース予約メッセージＡを管理サーバ１００が受信した場合、論理パス管理テーブル１４０の伝送網パスＩＤ１４１に「１０００」が登録されたエントリのＩＰ／ＭＰＬＳ網パスＩＤ１４７に「１０」が登録される。
【０１２１】
また、管理サーバ１００の論理パス設定部１２２は、伝送網パス決定処理でデータ送信論理パスに決定された論理パスと、通知されたリソース予約通知に含まれるＩＰ／ＭＰＬＳ網パスＩＤによって識別されるＩＰ／ＭＰＬＳ網２０の論理パスとを対応付けるように、当該データ送信論理パスの経路を構成する伝送装置３００の論理パス設定テーブル３１５を更新する指令（論理パス設定テーブル更新指令）を、当該データ送信論理パスの経路を構成する伝送装置３００に装置設定部１１０を介して送信する。
【０１２２】
図８に示すＳ７０４の処理で通知されたリソース予約メッセージＡを管理サーバ１００が受信した場合に送信される論理パス設定テーブル更新指令は、論理パス設定テーブル３１５の伝送網パスＩＤ５０１に「１０００」が登録されたエントリのＩＰ／ＭＰＬＳ網パスＩＤ５０２に「１０」を登録する指令である。
【０１２３】
以上によって、伝送網３０内のデータ送信論理パスとＩＰ／ＭＰＬＳ網パスとが対応付けられる。
【０１２４】
以降、セッション識別情報（Ｓ−ＩＤ：Ａ）によって識別されるセッションのデータパケットＡを伝送装置３００Ａが受信した場合、伝送装置３００ＡのＭＰＬＳ−ＴＰカプセル化部３１４は、論理パス設定テーブル３１５を参照し、伝送網パスＩＤ「１０００」によって識別されるデフォルトパスを使用して送信するようにカプセル化し、当該データパケットＡを送信する（Ｓ７０６）。
【０１２５】
次に、伝送装置３００Ａが、パスメッセージＢを通信装置２００Ｂから受信する。パスメッセージＢは、セッションの要求帯域情報（ＢＷ：５００ＭＢ）、セッションのクラス情報（Ｃｌａｓｓ：４）、及びセッション識別情報（Ｓ−ＩＤ：Ｂ）を含む。伝送装置３００Ａは、受信したパスメッセージＢを、デフォルトパス（ＴＰ−ＩＤ：１０００）を使用して送信し（Ｓ７０７）、管理サーバ１００にパスメッセージＢに含まれるセッション識別情報、クラス情報、要求帯域情報、及びパスメッセージＢの宛先ネットワークに対応する伝送網パスの識別情報を含むパスメッセージＢ通知を管理サーバ１００に通知する（Ｓ７０８）。
【０１２６】
管理サーバ１００は、パスメッセージＢ通知を受信した場合、図９に示す伝送網パス決定処理を実行する。
【０１２７】
まず、Ｆ５００の処理では、伝送装置３００Ａから受信したパスメッセージＢ通知の宛先ネットワークに対応する伝送網パスの識別情報と一致するデフォルトパスとして伝送網パスＩＤ「１０００」が特定される。
【０１２８】
次に、Ｆ５０１の処理では、論理パス管理テーブル１４０の伝送網パスＩＤ「１０００」のエントリの余剰帯域１４４に登録された値「４００ＭＢ」がパスメッセージＢ通知に含まれる要求帯域「５００ＭＢ」より小さいと判定され（Ｆ５０１：Ｙｅｓ）、Ｆ５０２の処理に進み、動的に論理パスが構築される（図８に示すＳ７０９）。
【０１２９】
Ｆ５０２の処理では、現時刻から所定時間前までの間に論理パスが動的に設定された回数が動的設定制約条件として予め設定された閾値以下であると判定されるものとし（Ｆ５０２：Ｙｅｓ）、Ｆ５０３の処理に進む。
【０１３０】
Ｆ５０３の処理では、入力伝送装置から出力伝送装置までの経路から、通知された要求帯域、及び、クラス情報に対応する許容遅延時間を満たす経路が特定される。このため、Ｆ５０４の処理では、論理パスを動的に設定可能と判定され（Ｆ５０４：Ｙｅｓ）、Ｆ５０５の処理に進む。Ｆ５０５の処理では、Ｆ５０３の処理で特定された経路が複数ある場合、各経路を構成するリンクの平均遅延時間が最大となる経路がデータ送信論理パスに決定され、論理パス管理テーブル１４０が更新される。なお、Ｆ５０３の処理で特定された経路が一つである場合、当該経路がデータ送信論理パスに決定される。
【０１３１】
Ｆ５０５の処理で更新された論理パス管理テーブル１４０を図１０（Ｃ）に示す。このＦ５０５の処理では、論理パス管理テーブル１４０に新たなエントリが追加され、追加されたエントリの伝送網パスＩＤ１４１に「２０００」が登録され、入力装置ＩＤ１４２には、パスメッセージＢ通知に含まれる入力伝送装置の識別情報が登録され、出力装置ＩＤ１４３には、パスメッセージＢ通知に含まれる伝送網パスＩＤの出力伝送装置の識別情報が登録される。また、当該エントリの余剰帯域１４４には「０」が登録され、セッションＩＤ１４６には、パスメッセージＢ通知に含まれるセッション識別情報「Ｂ」が登録され、ユーザクラス１４８には、パスメッセージＢ通知に含まれるクラス情報「４」が登録され、要求帯域１４９には、パスメッセージＢ通知に含まれる要求帯域情報「５００ＭＢ」が登録され、使用リンク１５５には、データ送信論理パスが使用する経路を構成するリンクが登録される。
【０１３２】
次に、データ送信論理パスを動的パス「２０００」に決定した後のシーケンスを説明する。
【０１３３】
通信装置２００Ｃは、Ｓ７０７の処理で送信されたパスメッセージＢを受信した場合、リソース予約メッセージＢを通信装置２００Ｂに送信する（Ｓ７１０）。リソース予約メッセージＢは、セッション識別情報（Ｓ−ＩＤ：Ｂ）、当該セッションに割り当てるＩＰ／ＭＰＬＳ網パスＩＤ（ＩＰ−ＩＤ：２０）、及びセッション要求帯域情報（ＢＷ：５００ＭＢ）を含む。伝送装置３００Ｂは、伝送網パス（ＴＰ−ＩＤ：５０００）を特定し、特定した伝送網パスを使用して伝送装置３００Ａを介して通信装置２００Ｂにリソース予約メッセージＢを送信し、受信したリソース予約メッセージＢからセッション識別情報及びＩＰ／ＭＰＬＳ網パスＩＤを取得し、取得したセッション識別情報（Ｓ−ＩＤ：Ｂ）及びＩＰ／ＭＰＬＳ網パスＩＤ（ＩＰ−ＩＤ：２０）をリソース予約通知Ｂとして管理サーバ１００に通知する（Ｓ７１１）。
【０１３４】
管理サーバ１００は、リソース予約通知Ｂが通知された場合、マッピング処理を実行する（Ｓ７１２）。
【０１３５】
このマッピング処理では、図１０（Ｄ）に示すように、論理パス管理テーブル１４０の伝送網パスＩＤ１４１に「２０００」が登録されたエントリのＩＰ／ＭＰＬＳ網パスＩＤ１４７に「２０」が登録される。
【０１３６】
また、管理サーバ１００は、伝送網パスＩＤ「２０００」とＩＰ／ＭＰＬＳ網パスＩＤ「２０」とを対応付けるように、論理パス設定テーブル３１５を更新する論理パス設定テーブル更新指令を、動的に構築されたデータ送信論理パスの経路を構成する伝送装置３００に装置設定部１１０を介して送信する。
【０１３７】
図８に示すＳ７１１の処理で通知されたリソース予約メッセージＢを管理サーバ１００が受信した場合に送信される論理パス設定テーブル更新指令は、論理パス設定テーブル３１５の伝送網パスＩＤ５０１に「２０００」が登録されたエントリのＩＰ／ＭＰＬＳ網パスＩＤ５０２に「２０」を登録する指令である。
【０１３８】
伝送網３０内に動的に構築されたデータ送信論理パスとＩＰ／ＭＰＬＳ網パスとが対応付けられる。
【０１３９】
以上のＳ７０１〜Ｓ７１２の処理で伝送網３０内に構築されたデフォルトパス（ＴＰ−ＩＤ：１０００）とＩＰ／ＭＰＬＳ網パス（ＩＰ−ＩＤ１０）とが対応付けられ、伝送網３０内に動的に構築された動的パス（ＴＰ−ＩＤ：２０００）とＩＰ／ＭＰＬＳ網パス（ＩＰ−ＩＤ２０）とが対応付けられる。このため、伝送装置３００Ａは、ＩＰ／ＭＰＰＬＳ網パスＩＤ「１０」が付与されたデータパケットＡをデフォルトパス（ＴＰ−ＩＤ：１０００）を使用して通信装置２００Ｃに送信し（Ｓ７１３）、ＩＰ／ＭＰＰＬＳ網パスＩＤ「２０」が付与されたデータパケットＢを動的パス（ＴＰ−ＩＤ：２０００）を使用して、通信装置２００Ｃに送信する（Ｓ７１３）。
【０１４０】
以上の処理によって、通常、静的に設定されたデフォルトパスがＩＰ／ＭＰＬＳ網パスにマッピングされ、デフォルトパスの余剰帯域が不足した場合であって、かつ、動的に構築される論理パスに関する情報が動的制約条件を満たす場合、セッションの許容遅延時間を満たす経路を使用する論理パスが動的に構築され、動的に構築された論理パスがＩＰ／ＭＰＬＳ網パスにマッピングされる。これによって、管理サーバの負荷を抑制しつつ、伝送網３０のリソースを有効に利用し、かつ、伝送網３０内のトラヒックを分散できる。
【０１４１】
（第２実施形態）
本発明の第２実施形態を図１１及び図１２を用いて説明する。
【０１４２】
本実施形態では、管理サーバ１００は、所定値以上の優先度を示すクラス情報を含むパスメッセージ通知を受信した場合、当該パスメッセージ通知によって確立するセッションに対してデフォルトパスのみを割り当てることが特徴である。
【０１４３】
具体的には、デフォルトパスの余剰帯域がパスメッセージ通知に含まれる要求帯域以上である場合、当該デフォルトパスがデータ送信論理パスに決定される。
【０１４４】
一方、デフォルトパスの余剰帯域がパスメッセージ通知に含まれる要求帯域より小さい場合、所定時間内に、当該デフォルトパスの余剰帯域が要求帯域以上となれば、当該デフォルトパスがデータ送信論理パスに決定される。
【０１４５】
なお、所定時間内に、当該デフォルトパスの余剰帯域が要求帯域以上とならない場合、管理サーバ１００は、エラーメッセージを伝送装置３００に送信する。また、この所定時間の間、管理サーバ１００は、他のパスメッセージ通知を受信した場合、当該他のパスメッセージ通知によって確立するセッションに対して割り当てる論理パスから当該デフォルトパスが使用するリンクを除外して経路を設定する。
【０１４６】
これによって、所定値以上の優先度を示すクラス情報を含むパスメッセージによって確立されるセッションに対しては、デフォルトパスがデータ送信論理パスに決定されるので、データ送信論理パスによる遅延時間を最小限にすることができる。
【０１４７】
なお、本実施形態の伝送システムの構成は、第１実施形態の伝送システムの構成と同じである。本実施形態と第１実施形態との機能的な差分として、伝送装置３００の送信パケット解析振分部３２０は、管理サーバ１００からの指令に基づいて、リソース予約メッセージを所定時間保持し、又は、リソース予約メッセージを破棄する。さらに送信パケット解析振分部３２０は、エラーメッセージを通信装置２００に送信する。また、管理サーバ１００の論理パス設定部１２２は、伝送装置３００の送信パケット解析振分部３２０に、リソース予約メッセージの保持又は送信の指令を送信する。
【０１４８】
図１１は、本発明の第２実施形態の伝送網パス構築処理のシーケンス図である。図１２は、本発明の第２実施形態の管理サーバ１００による伝送網パス決定処理のフローチャートである。なお、図１１に示す伝送網パス構築処理のうち、第１実施形態の図８に示す伝送網パス構築処理と同じ処理は、同じ符号を付与し、説明を省略する。また、図１２に示す伝送網パス決定処理のうち、第１実施形態の図９に示す伝送網パス決定処理と同じ処理は、同じ符号を付与し、説明を省略する。
【０１４９】
まず、本実施形態の伝送網パス決定処理について、図１２を用いて説明する。
【０１５０】
論理パス設定部１２２は、Ｆ５００の処理で特定されたデフォルトパスの余剰帯域が要求帯域以上になることを所定時間待機しているセッションが存在するか否かを判定する（Ｆ６００）。
【０１５１】
Ｆ５００の処理で特定されたデフォルトパスの余剰帯域が要求帯域以上になることを所定時間待機しているセッションが存在しないとＦ６００の処理で判定された場合（Ｆ６００：Ｎｏ）、論理パス設定部１２２は、Ｆ５０１の処理に進み、当該デフォルトパスの余剰帯域が要求帯域より小さいか否かを判定する。Ｆ５０１の処理で当該デフォルトパスの余剰帯域が要求帯域以上であると判定された場合（Ｆ５０１：Ｎｏ）、Ｆ５０７の処理に進み、論理パス設定部１２２は、当該デフォルトパスをデータ送信論理パスに決定し、論理パス管理テーブル１４０を更新し、処理を終了する。
【０１５２】
一方、Ｆ５０１の処理で当該デフォルトパスの余剰帯域が要求帯域より小さいと判定された場合（Ｆ５０１：Ｙｅｓ）、及び、Ｆ５００の処理で特定されたデフォルトパスの余剰帯域が要求帯域以上になることを所定時間待機しているセッションが存在しないとＦ６００の処理で判定された場合（Ｆ６００：Ｙｅｓ）、論理パス設定部１２２は、通知されたパスメッセージ通知に含まれるクラス情報が最も高い優先度を示す「１」であるか否かを判定する（Ｆ６０１）。
【０１５３】
Ｆ６０１の処理で、通知されたパスメッセージ通知に含まれるクラス情報が「１」であると判定された場合（Ｆ６０１：Ｙｅｓ）、論理パス設定部１２２は、Ｆ５００の処理で特定されたデフォルトパスの入力伝送装置に、リソース予約メッセージを受信しても、当該リソース予約メッセージの送信を所定時間待機する指令である送信待機指令を送信する（Ｆ６０３）。
【０１５４】
そして、論理パス設定部１２２は、Ｆ６０３の処理を実行してから所定時間が経過し、タイムアウトとなったか否かを判定する（Ｆ６０４）。
【０１５５】
Ｆ６０４の処理でタイムアウトとなったと判定された場合（Ｆ６０４：Ｙｅｓ）、論理パス設定部１２２は、Ｆ５０６の処理に進み、エラーメッセージを通信装置２００に送信する指令を伝送装置２００に送信し、処理を終了する。
【０１５６】
一方、Ｆ６０４の処理でタイムアウトとなっていないと判定された場合（Ｆ６０４：Ｎｏ）、論理パス設定部１２２は、Ｆ５００の処理で特定されたデフォルトパスの余剰帯域が要求帯域より小さいか否かを判定する（Ｆ６０５）。
【０１５７】
Ｆ５００の処理で特定されたデフォルトパスの余剰帯域が要求帯域以上であるとＦ６０５の処理で判定された場合（Ｆ６０５：Ｎｏ）、論理パス設定部１２２は、当該デフォルトパスをデータ送信論理パスに決定し、論理パス管理テーブル１４０を更新し（Ｆ６０６）、処理を終了する。Ｆ６０６の処理は、Ｆ５０７の処理と同じであるので、詳細な説明は省略する。
【０１５８】
Ｆ５００の処理で特定されたデフォルトパスの余剰帯域が要求帯域より小さいとＦ６０５の処理で判定された場合（Ｆ６０５：Ｙｅｓ）、論理パス設定部１２２は、所定時間が経過するまでＦ６０４及びＦ６０５の処理を繰り返し実行する。
【０１５９】
Ｆ６０１の処理で、通知されたパスメッセージ通知に含まれるクラス情報が「１」でないと判定された場合（Ｆ６０１：Ｎｏ）、論理パスを動的に構築するために、論理パス設定部１２２は、パスメッセージ通知に含まれる要求帯域情報、入力伝送装置の識別情報、出力伝送装置の識別情報、及びパスメッセージ通知に含まれるクラス情報を、動的パス判定／生成部１２５に通知し、Ｆ５０２の処理に進む。
【０１６０】
Ｆ５０２の処理では、論理パス設定部１２２は、現時刻から所定時間前までの間に論理パスが動的に設定された回数が、動的設定制約条件として予め設定された閾値以下であるか否かを判定する。
【０１６１】
Ｆ５０２の処理で、現時刻から所定時間前までの間に論理パスが動的に設定された回数が閾値より大きいと判定された場合（Ｆ５０２：Ｎｏ）、Ｆ５０６の処理に進み、論理パス設定部１２２は、エラーメッセージを通信装置２００に送信する指令を伝送装置２００に送信し、処理を終了する。
【０１６２】
一方、Ｆ５０２の処理で、現時刻から所定時間前までの間に論理パスが動的に設定された回数が閾値以下であると判定された場合（Ｆ５０２：Ｙｅｓ）、動的パス判定／生成部１２５は、リンク管理テーブル１５０を参照し、入力伝送装置から出力伝送装置までの経路のうち待機中のセッションが使用するデフォルトパスを構成するリンクを除外した経路から、通知された要求帯域、及び通知されたクラス情報に対応する許容遅延時間を満たす経路を特定し（Ｆ６０２）、Ｆ５０４の処理に進む。
【０１６３】
Ｆ５０３の処理で経路が特定できないとＦ５０４の処理で判定された場合（Ｆ５０４：Ｎｏ）、Ｆ５０６の処理に進み、論理パス設定部１２２は、エラーメッセージを通信装置２００に送信する指令を伝送装置２００に送信し、処理を終了する。
【０１６４】
一方、Ｆ５０３の処理で経路が特定できるとＦ５０４の処理で判定された場合（Ｆ５０４：Ｙｅｓ）、動的パス判定／生成部１２５は、論理パスを動的に設定できると判定し、Ｆ５０５の処理に進む。
【０１６５】
Ｆ５０５の処理では、動的パス判定／生成部１２５は、リンク管理テーブル１５０を参照し、特定した経路の平均遅延時間を算出し、算出した平均遅延時間が最大となる経路をデータ送信論理パスに決定し、論理パス管理テーブル１４０を更新し、送網パス決定処理を終了する。
【０１６６】
次に、図１１を用いて、伝送システムにおける伝送網パス構築処理について説明する。図１１では、Ｓ７００〜Ｓ７０６の処理が実行されることによって、通信装置２００Ｂが通信装置２００Ｃにデータを送信するセッションＡの論理パスとしてデフォルトパス（ＴＰ−ＩＤ：１０００）が割り当てられる。本実施形態では、Ｓ８０１の処理以降の処理について説明する。
【０１６７】
伝送装置３００Ａは、パスメッセージＢを通信装置２００Ｂから受信すると、デフォルトパス（ＴＰ−ＩＤ：１０００）を使用して、受信したパスメッセージＢを通信装置２００Ｃに送信する（Ｓ８０１）。パスメッセージＢは、セッションの要求帯域情報（ＢＷ：１００ＭＢ）、セッションのクラス情報（Ｃｌａｓｓ：１）、及びセッション識別情報（Ｓ−ＩＤ：Ｂ）を含む。
【０１６８】
また、伝送装置３００Ａは、パスメッセージＢから取得したセッション識別情報、クラス情報、要求帯域情報、及びパスメッセージＢの宛先ネットワークに対応する伝送網パスの識別情報を含むパスメッセージＢ通知を管理サーバ１００に通知する（Ｓ８０２）。
【０１６９】
管理サーバ１００は、パスメッセージＢ通知を受信すると、図１２に示す伝送網パス決定処理を実行する。
【０１７０】
まず、Ｆ５００の処理では、伝送装置３００Ａから受信したパスメッセージＢ通知の宛先ネットワークに対応する伝送網パスの識別情報と一致するデフォルトパスとして伝送網パスＩＤ「１０００」が特定される。
【０１７１】
次に、Ｆ６００の処理では、Ｆ５００の処理で特定されたデフォルトパス（ＴＰ−ＩＤ：１０００）に対して待機しているセッションが存在するか否かを判定する。ここでは、当該デフォルトパスに対して待機しているセッションが存在しないと判定され（Ｆ６００：Ｎｏ）、Ｆ５０１の処理に進む。
【０１７２】
Ｆ５０１の処理では、論理パス管理テーブル１４０の伝送網パスＩＤ「１０００」のエントリの余剰帯域１４４に登録された値「４００ＭＢ」がパスメッセージＢ通知に含まれる要求帯域「５００ＭＢ」より小さいと判定され（Ｆ５０１：Ｙｅｓ）、Ｆ６０１の処理に進む。
【０１７３】
Ｆ６０１の処理では、通知されたパスメッセージ通知に含まれるクラス情報が最も高い優先度を示す「１」であると判定され（Ｆ６０１：Ｙｅｓ）、Ｆ６０３の処理に進む。
【０１７４】
Ｆ６０３の処理では、リソース予約メッセージ送信待機指令が入力伝送装置である伝送装置２００Ａに送信され（図１１に示すＳ８０３）、Ｆ６０４の処理に進む。当該リソース予約メッセージ送信待機指令は、セッション識別情報（Ｓ−ＩＤ：Ｂ）を含む。
【０１７５】
ここで、図１１では、伝送装置３００Ｂは、通信装置２００Ｃから送信されたリソース予約メッセージＢを受信し、当該リソース予約メッセージＢをデフォルトパス（ＴＰ−ＩＤ：５０００）を介して通信装置２００Ｂに送信する（Ｓ８０４）。しかし、伝送装置３００Ａは、リソース予約メッセージ送信待機指令に基づいて、当該リソース予約メッセージの送信を待機する。また、伝送装置３００Ｂは、リソース予約通知Ｂを管理サーバ１００に送信する（Ｓ８０５）。
【０１７６】
次に、Ｆ６０４及びＦ６０５の処理では、デフォルトパス（ＴＰ−ＩＤ：１０００）の余剰帯域が要求帯域より小さいか否かの判定処理を所定時間繰り返し実行する。
【０１７７】
図１１では、この所定時間の間に、通信装置２００Ｂは、セッションＡの通信が終了することを示し、セッションＡの論理パスを解除するパス解除メッセージＡをデフォルトパス（ＴＰ−ＩＤ：１０００）を介して通信装置２００Ｃに送信する。パス解除メッセージＡは、セッションＡに割り当てられたＩＰ／ＭＰＬＳ網パスＩＤ（ＩＰ−ＩＤ：１０）、及びセッション識別情報（Ｓ−ＩＤ：Ａ）を含む。伝送装置３００Ａは、パス解除メッセージＡ通知を管理サーバ１００に送信する（Ｓ８０７）。パス解除メッセージＡ通知は、パス解除メッセージＡに含まれるＩＰ／ＭＰＬＳ網パスＩＤ（ＩＰ−ＩＤ：１０）、及びセッション識別情報（Ｓ−ＩＤ：Ａ）を含む。
【０１７８】
管理サーバ１００は、パス解除メッセージＡ通知を受信すると、セッションＡの論理パス（デフォルトパス（ＴＰ−ＩＤ：１０００））を解除する。具体的には、論理パス設定部１２２は、論理パス管理テーブル１４０に登録されたエントリのうち、セッションＩＤ１４６に登録されたセッションの識別情報がパス解除メッセージＡ通知に含まれるセッション識別情報（Ｓ−ＩＤ：Ａ）と一致するエントリのセッションＩＤ１４６、ＩＰ／ＭＰＬＳ網パスＩＤ１４７、ユーザクラス１４８、要求帯域１４９に登録された情報を削除し、当該エントリの余剰帯域１４４に当該エントリの要求帯域１４９に登録されていた値を加算する。また、管理サーバ１００は、当該デフォルトパスの経路を構成する伝送装置３００に対して、論理パス設定テーブル３１５から当該セッションの伝送網パスＩＤとＩＰ／ＭＰＬＳ網パスＩＤとの対応関係を削除する指令を送信する。これによって、図１０（Ｂ）に示す論理パス管理テーブル１４０に登録された情報が、図１０（Ａ）に示す論理パス管理テーブル１４０に登録された情報に更新される。
【０１７９】
セッションＡの論理パスが解除されると、デフォルトパス（ＴＰ−ＩＤ：１０００）の余剰帯域は「５００ＭＢ」となり、セッションＢの要求帯域「５００ＭＢ」以上となるので、Ｆ６０５の処理で、デフォルトパス（ＴＰ−ＩＤ：１０００）の余剰帯域が要求帯域以上であると判定され（Ｆ６０５：Ｎｏ）、Ｆ６０６の処理に進む。Ｆ６０６の処理では、デフォルトパスである伝送網パスＩＤ「１０００」がデータ送信論理パスに決定され、論理パス管理テーブル１４０が更新される。具体的には、論理パス管理テーブル１４０の伝送網パスＩＤ１４１が「１０００」であるエントリのセッションＩＤ１４６に「Ｂ」が登録され、ユーザクラス１４８に「１」が登録され、要求帯域１４９に「５００ＭＢ」が登録される。また、当該エントリの余剰帯域１４４に登録された「５００ＭＢ」から要求帯域「５００ＭＢ」を減算した値である「０ＭＢ」が当該余剰帯域１４４に登録される。
【０１８０】
また、Ｆ６０５の処理で、デフォルトパス（ＴＰ−ＩＤ：１０００）の余剰帯域が要求帯域以上であると判定された場合（Ｆ６０５：Ｎｏ）、論理パス設定部１２２は、リソース予約メッセージＢの送信を待機させた伝送装置３００Ａに、待機解除指令を送信する（Ｓ８０８）。待機解除指令は、セッション識別情報（Ｓ−ＩＤ：Ｂ）を含む。伝送装置３００Ａは、待機解除指令を受信した場合、送信を待機していたリソース予約メッセージＢを通信装置２００Ｂに送信する（Ｓ８０９）。
【０１８１】
管理サーバ１００は、データ送信論理パスを決定した後、受信していたリソース予約メッセージＢに基づいて、データ送信論理パス（ＴＰ−ＩＤ：１０００）とＩＰ／ＭＰＬＳ網パス（ＩＰ−ＩＤ：２０）とを対応付けるように、論理パス管理テーブル１４０を更新する。また、管理サーバ１００は、データ送信論理パス（ＴＰ−ＩＤ：１０００）とＩＰ／ＭＰＬＳ網パス（ＩＰ−ＩＤ：２０）とを対応付けるように、論理パス設定テーブル３１５を更新する指令を、データ送信論理パスの経路を構成する伝送装置３００に対して送信する（Ｓ８１０）。
【０１８２】
以降、セッション識別情報（Ｓ−ＩＤ：Ｂ）によって識別されるセッションのデータパケットＢを伝送装置３００Ａが受信した場合、伝送装置３００ＡのＭＰＬＳ−ＴＰカプセル化部３１４は、論理パス設定テーブル３１５を参照し、伝送網パスＩＤ「１０００」によって識別されるデフォルトパスを使用して送信するようにカプセル化し、当該データパケットＡを送信する（Ｓ８１１）。
【０１８３】
なお、図１２では、Ｆ６０１の処理で、セッションのクラス情報の優先度が最も高いと判定された場合にＦ６０３〜Ｆ６０６の処理を実行したが、セッションのクラス情報が所定の優先度以上である場合にＦ６０３〜Ｆ６０６の処理を実行するようにしてもよい。
【０１８４】
この場合、Ｆ６０２の処理では、パスメッセージ通知に含まれるクラス情報の優先度が待機中のセッションのクラス情報の優先度よりも低い場合にのみ、入力伝送装置から出力伝送装置までの経路のうち待機中のセッションが使用するデフォルトパスを構成するリンクを除外した経路から、通知された要求帯域、及び通知されたクラス情報に対応する許容遅延時間を満たす経路を特定するようにしてもよい。パスメッセージ通知に含まれるクラス情報の優先度が待機中のセッションのクラス情報の優先度以上である場合、入力伝送装置から出力伝送装置までの経路から、通知された要求帯域、及び通知されたクラス情報に対応する許容遅延時間を満たす経路を特定する。
【０１８５】
以上によって、所定値以上の優先度を示すクラス情報を含むパスメッセージによって確立されるセッションに対しては、デフォルトパスがデータ送信論理パスに決定されるので、データ送信論理パスによる遅延時間を最小限にすることができる。
【０１８６】
（第３実施形態）
本発明の第３実施形態を図１３を用いて説明する。
【０１８７】
本実施形態は、第１実施形態及び第２実施形態の動的設定制約条件の変形例であり、本実施形態の動的設定制約条件は、任意の二つの伝送装置３００の間に構築された少なくとも一つの動的パスに割り当てられたセッションの要求帯域の合計値である合計要求帯域が閾値以下であることが条件となる。具体的には、本実施形態では、デフォルトパスの余剰帯域が要求帯域よりも小さい場合、当該デフォルトパスの代わりの論理パスとして動的に構築された論理パスの合計要求帯域が閾値より大きい場合、新たな論理パスを動的に構築しない。これによって、伝送網３０内の他のデフォルトパスの余剰帯域の消費を抑制し、優先度が高いセッションに対してデフォルトパスを割り当てやすくすることができる。
【０１８８】
本実施形態の伝送システムの構成は、第１実施形態及び第２実施形態の伝送システムの構成と同じである。本実施形態と第１実施形態及び第２実施形態との機能的な差分として、管理サーバ１００の動的パス判定／生成部１２５は、デフォルトパスの入力伝送装置と出力伝送装置との間に動的に構築された動的パスの合計予約閾値を保持し、論理パス設定部１２２から動的パスの生成を指示された場合に、論理パス管理テーブル１４０を参照し、該当する二つの伝送装置３００間に設定された動的パスの合計要求帯域を算出し、算出した合計予約帯域と閾値とを比較する。
【０１８９】
本実施形態の伝送網パス決定処理を図１３を用いて説明する。図１３は、本発明の第３実施形態の伝送網パス決定処理のフローチャートである。図１３に示す伝送網パス決定処理のうち、図９に示す第１実施形態の伝送網パス決定処理と同じ処理は、同じ符号を付与し、説明を省略する。
【０１９０】
図１３に示す伝送網パス決定処理のＦ５０８の処理が、図９に示す伝送網パス決定処理と相違する。
【０１９１】
Ｆ５０８の処理では、動的パス判定／生成部１２５は、Ｆ５００の処理で特定されたデフォルトパスの入力伝送装置と出力伝送装置との間に動的に構築された動的パスの合計要求帯域が閾値以下であるか否かを判定する。
【０１９２】
Ｆ５００の処理で特定されたデフォルトパスの入力伝送装置と出力伝送装置との間に動的に構築された動的パスの合計要求帯域が閾値以下であると、Ｆ５０８の処理で判定された場合（Ｆ５０８：Ｙｅｓ）、動的パス判定／生成部１２５は、Ｆ５０３の処理に進み、動的パスが使用する経路を特定する。一方、Ｆ５００の処理で特定されたデフォルトパスの入力伝送装置と出力伝送装置との間に動的に構築された動的パスの合計要求帯域が閾値より大きいと判定されたであると、Ｆ５０８の処理で判定された場合（Ｆ５０８：Ｎｏ）、動的パスを構築せずに、Ｆ５０６の処理に進み、エラーメッセージの送信指令を伝送装置３００に送信する。
【０１９３】
なお、本実施形態は、第２実施形態にも適用可能であり、この場合、図１２に示すＦ５０２の処理を図１３に示すＦ５０８の処理に置き換える。
【０１９４】
（第４実施形態）
第１〜第３実施形態では、二つの伝送装置の間の最短経路を使用する論理パスがデフォルトパスとして予め設定されていて、パスメッセージ通知に含まれるデフォルトパス識別情報と一致するデフォルトパスの余剰帯域がパスメッセージ通知に含まれる要求帯域より小さい場合、所定の条件と一致すると、当該デフォルトパスが使用する経路と異なる経路を使用する伝送網３０内の論理パスを新たに構築するものである。
【０１９５】
本実施形態では、二つの伝送装置の間の複数の経路に対して論理パスを予め設定しておき、最短経路となるデフォルトパスの余剰帯域がパスメッセージ通知に含まれる要求帯域より小さい場合、予め設定された論理パスから、当該デフォルトパスが使用する経路と異なる経路を使用する論理パスを選択する。
【０１９６】
図１４は、本発明の第４実施形態の管理サーバ１００による初期設定後の論理パス管理テーブル１４０の説明図である。
【０１９７】
管理サーバ１００による初期設定では、入力伝送装置（ＴＰ１）と出力伝送装置（ＴＰ２）との間に二つの論理パス（ＴＰ−ＩＤ：１０００及び２０００）が構築されているものとする。
【０１９８】
ここで、論理パス管理テーブル１４０は、図１４に示すように、二つの伝送装置３００間の最短経路を使用するデフォルトパスか否かを判別するための情報が登録されるデフォルトパス１５６を含む。具体的には、デフォルトパスである論理パスのエントリのデフォルトパス１５６には「Ｙ」が登録され、デフォルトパスでない論理パスのエントリのデフォルトパス１５６には「Ｎ」が登録される。図１４では、ＴＰ−ＩＤ１０００のデフォルトパス１５６には「Ｙ」が登録されている。
【０１９９】
次に、本実施形態の論理パス決定処理と図９に示す論理パス決定処理との差分について、図９を用いて説明する。
【０２００】
Ｆ５００の処理では、論理パス設定部１２２は、論理パス管理テーブル１４０のデフォルトパス１５６に「Ｙ」が登録されたエントリの伝送網パスＩＤ１４１に登録された伝送網パス識別情報がパスメッセージ通知に含まれるデフォルトパス識別情報と一致するエントリを特定する。
【０２０１】
Ｆ５０３の処理では、動的パス判定／生成部１２５は、論理パス管理テーブル１４０に登録され、デフォルトパス１５６に「Ｎ」が登録されたエントリから、入力装置ＩＤ１４２及び出力装置ＩＤ１４３が、論理パス設定部１２２から通知された通知された入力伝送装置の識別情報及び出力伝送装置の識別情報と一致するエントリを選択する。
【０２０２】
そして、動的パス判定／生成部１２５は、選択したエントリから、使用リンク１５５に登録されたリンクが、論理パス設定部１２２から通知された要求帯域、及び通知されたクラス情報に対応する許容遅延時間を満たすエントリを特定する。
【０２０３】
本実施形態のように、予め設定された伝送網３０内の論理パスの中からデータ送信経路となる論理パスを選択する概念は、管理サーバ１００が伝送網３０内の論理パスを動的に構築するという概念に含まれるものとする。
【０２０４】
なお，上述した各実施形態は、本発明の好適な実施形態であり，本発明の要旨を逸脱しない範囲内において変更が可能である。
【符号の説明】
【０２０５】
２０    ＩＰ／ＭＰＬＳ網
３０    伝送網
１００    管理サーバ
１１０    装置設定部
１２０    設定処理部
１２２    論理パス設定部
１２３    リンク情報処理部
１２４    ユーザクラス設定部
１２５    動的パス判定／生成部
１３０    管理者設定部
１４０    論理パス管理テーブル
１５０    リンク管理テーブル
２００    通信装置
３００    伝送装置
【図１】
0005771832.tif 000002
【図２】
0005771832.tif 000003
【図３】
0005771832.tif 000004
【図４】
0005771832.tif 000005
【図５】
0005771832.tif 000006
【図６】
0005771832.tif 000007
【図７】
0005771832.tif 000008
【図８】
0005771832.tif 000009
【図９】
0005771832.tif 000010
【図１０】
0005771832.tif 000011
【図１１】
0005771832.tif 000012
【図１２】
0005771832.tif 000013
【図１３】
0005771832.tif 000014
【図１４】
0005771832.tif 000015
【図１５】
0005771832.tif 000016